(57)【要約】【課題】個々の光ディスクについてのエラー発生の回数を知らせる構成とするときにも、エラー発生の回数を記録するためのメモリ素子を不要とすることができるとともに装置が交換されるときにもエラー発生の回数の信頼性の高さを維持する。【解決手段】書込コマンドが与えられたときには光ディスク１１にデータの記録を行い、再生コマンドが与えられたときには光ディスク１１に記録されたデータの再生を行い、書込コマンドに従ったデータの記録においてエラーが生じたときにはエラー情報を出力するディスクドライブ部５と、ディスクドライブ部５がエラー情報を出力した回数を記憶するエラー回数記憶手段とを備えた構成において、エラー回数記憶手段を光ディスク１１の所定エリアに設けられたエラーカウンタによって形成している。【選択図】図１
2006179072.tif 000002
【特許請求の範囲】
【請求項１】
書込コマンドが与えられたときにはＤＶＤにデータの記録を行い、再生コマンドが与えられたときにはＤＶＤに記録されたデータの再生を行い、書込コマンドに従ったデータの記録においてエラーが生じたときにはエラー情報を出力するディスクドライブ部と、
ディスクドライブ部がエラー情報を出力した回数を記憶するエラー回数記憶手段と、  ディスクドライブ部を制御することによってＤＶＤのフォーマットを行うフォーマット手段とを備えたＤＶＤレコーダにおいて、
フォーマット手段がＤＶＤのフォーマットを行う毎に、ＲＭＡに記録されるＲＭＤの領域であって、ＤＶＤの規格において未定義となっている領域に設けられたフォーマットカウンタの値を更新するフォーマット回数更新手段と、
タイトルや記録日時等の、ＤＶＤに記録されたデータの記録内容を示す情報を表示装置に表示するときとＤＶＤへのデータの記録となるときとには、装置本体の前面パネルに設けられた表示器にエラーカウンタの値を表示するとともに前記表示装置にエラーカウンタの値とフォーマットカウンタの値とを表示し且つエラーカウンタの値とフォーマットカウンタの値との関係に基づく情報であってＤＶＤへのデータの記録におけるエラー発生の解消に関連する情報を前記表示装置に表示する情報表示手段とを備え、
エラー回数記憶手段は、ＲＭＡに記録されるＲＭＤの領域であって、ＤＶＤの規格において未定義となっている領域に設けられたエラーカウンタによって形成されていることを特徴とするＤＶＤレコーダ。
【請求項２】
書込コマンドが与えられたときには光ディスクにデータの記録を行い、再生コマンドが与えられたときには光ディスクに記録されたデータの再生を行い、書込コマンドに従ったデータの記録においてエラーが生じたときにはエラー情報を出力するディスクドライブ部と、
ディスクドライブ部がエラー情報を出力した回数を記憶するエラー回数記憶手段とを備えた光ディスク装置において、
エラー回数記憶手段は光ディスクの所定エリアに設けられたエラーカウンタによって形成されていることを特徴とする光ディスク装置。
【請求項３】
タイトルや記録日時等の、光ディスクに記録されたデータの記録内容を示す情報を表示装置に表示するときには、前記表示装置にエラーカウンタの値を表示する情報表示手段を備えたことを特徴とする請求項２に記載の光ディスク装置。
【請求項４】
光ディスクへのデータの記録となるときには表示装置にエラーカウンタの値を表示する情報表示手段を備えたことを特徴とする請求項２または請求項３に記載の光ディスク装置。
【請求項５】
情報表示手段は、光ディスクへのデータの記録となるときには装置本体の前面パネルに設けられた表示器にエラーカウンタの値を表示することを特徴とする請求項４に記載の光ディスク装置。
【請求項６】
ディスクドライブ部を制御することによって光ディスクのフォーマットを行うフォーマット手段と、
フォーマット手段が光ディスクのフォーマットを行う毎に、光ディスクの所定領域に設けられたフォーマットカウンタの値を更新するフォーマット回数更新手段と、
エラーカウンタの値とフォーマットカウンタの値とに基づく情報であって、光ディスクへのデータの記録におけるエラー発生の解消に関連した情報を表示する情報表示手段を備えたことを特徴とする請求項２から請求項５までのいずれかに記載の光ディスク装置。
【発明の詳細な説明】
【技術分野】
【０００１】
本発明は、データの記録時のエラーの発生回数を記憶させるＤＶＤレコーダおよび光ディスク装置に係り、より詳細には、エラーの発生回数の記憶位置を光ディスクの所定領域としたＤＶＤレコーダおよび光ディスク装置に関するものである。
【背景技術】
【０００２】
情報の書き換えが可能なＤＶＤ−ＲＷにおいては、書き換え回数に限りがあり、書き換え回数が上限に近くなると、書き込みエラーが発生しやすい。このため、以下に示す技術が提案されている（第１の従来技術とする）。すなわち、この技術では、ディスク再生手段は、ディスクの再生中にエラーが発生した場合には、エラー情報を生成してエラー判断手段に出力するようになっている。また、ディスク記録手段は、ディスクにデータを記録中にエラーが発生した場合には、エラー情報を生成してエラー判断手段に出力するようになっている。そして、エラー情報から得たエラーのレベルが所定のエラーレベルを超えた場合にエラー指令を生成するエラー判断手段を設けるとともに、ディスクに記録されたシリアルナンバを記憶する、不揮発なメモリ手段を設けている。
【０００３】
且つ、エラー指令を受けたときには、メモリ手段に登録されているシリアルナンバの登録回数を読み出して、その登録回数をインクリメントした後、再度、メモリ手段に書き込むシリアルナンバ登録手段を設けている。また、現在再生中のディスクのシリアルナンバの登録回数をメモリ手段から読み出し、その登録回数が所定の比較値を超えている場合には、表示指令を発行することによって、表示手段に、『再生ディスクに異常あり』等の所定の表示を行わせる表示指令生成手段を設けている。このため、データの記録や再生において、エラーが多発するようになったディスクについては、ディスクに異常のあることをユーザに知らせることができる。
【０００４】
また、上記した構成を変形することにより得られた構成も併せて開示されている。すなわち、この構成においては、シリアルナンバ登録手段は、エラー指令を受けると、メモリ手段に登録されているシリアルナンバの登録回数を読み出す。そして、読み出した登録回数が０の場合、すなわち現在再生しているディスクのシリアルナンバがメモリ手段に登録されていない場合には、メモリ手段に書き込まれている連続新規登録回数をインクリメントしてメモリ手段に再登録するようになっている。また、シリアルナンバ登録手段は、再生中にエラー指令の発生しない正常なディスクが使用された場合には、連続新規登録回数をクリアする。
【０００５】
すなわち、図１０を参照しつつ、詳細に説明すると、１回目の再生においてエラー指令が４回発生したとすると、連続新規登録回数は１に設定される。そして、２回目の再生において発生したエラー指令の回数が０であったとすると、連続新規登録回数はクリアされて０となる。そして、連続新規登録回数がクリアされて０となった時点では、ディスク記録再生装置側には問題が無いものと判定される。そして、３回目の再生において、エラー指令が５回発生したとすると、それまでは０であった連続新規登録回数がインクリメントされて１となる。
【０００６】
そして、４回目の再生において、エラー指令が２６回発生したとする。且つ、このときのディスクのシリアルナンバが『９』となっていて、初めて登録されるシリアルナンバになっているとする。このときでは、シリアルナンバ『９』が新規に登録される。また、連続新規登録回数がインクリメントされて２となる。次いで、５回目の再生において、エラー指令が１２回発生したとする。且つ、このときのディスクのシリアルナンバが『１１』となっていて、既に登録されたシリアルナンバであるとする。このときでは、シリアルナンバが、既に登録されたシリアルナンバとなっているので、エラー指令が発生したにもかかわらず、連続新規登録回数は更新されない。従って、このときでは、連続新規登録回数は２のままとなる。すなわち、エラー指令が発生したとき、そのときのディスクのシリアルナンバが、登録されていないシリアルナンバであるときには、連続新規登録回数はインクリメントされるとともに、そのシリアルナンバが新規登録される。しかし、エラー指令が発生したときのディスクのシリアルナンバが既に登録されているときでは、連続新規登録回数はインクリメントされない。
【０００７】
そして、６回目の再生において、エラー指令が１７回発生したとする。また、シリアルナンバは『３６』であるとする。従って、このときでは、シリアルナンバは、登録されていないシリアルナンバであるので、新規登録されるとともに、連続新規登録回数はインクリメントされる。その結果、連続新規登録回数は３となる。そして、連続新規登録回数が３となるときには、所定回数を超えるので、所定の表示が行われ、ディスク記録再生装置に問題がある可能性をユーザに知らせている（例えば、特許文献１参照）。
【０００８】
また、以下に示す技術が提案されている（第２の従来技術とする）。すなわち、この技術では、光ディスクのフォーマットを行うと、光ディスクに記録回数として０を記録する。そして、以後では、光ディスクを最初から最後まで記録する毎に、光ディスクに記録した記録回数を１つづつ増加させる。すなわち、光ディスクに記録された記録回数でもって、その光ディスクに、最初から最後までの記録が何回行われたかを示すようにしている。そして、記録回数が、予め設定された値Ｎ（例えば、１００００）より大きくなったときには、ディスクの劣化により記録が正常に行われない可能性があるとして、表示器に、ディスクの劣化を示すエラー表示を行っている。
【０００９】
また、さらに、光ディスクを初期化して、それまでのデータを消去したり、光ディスクを新品として使用するときには、光ディスクが使用済みかどうか（それまでに使用されたことがあるかどうか）を調べている（このことは、光ディスクにＩＤのようなデータを書き込んでおき、信号処理回路から読み出すことによって可能であるとされている）。そして、使用済みであることが判明した場合、記録回数が値Ｍ（Ｍ＜Ｎであり、例えば、９０００）より小さいかどうかを調べている。そして、記録回数が値Ｍより小さいときでは、記録回数をメモリに確保した後、光ディスクのフォーマットを行うとともに、フォーマット後の光ディスクに、メモリに確保しておいた記録回数を書き戻している（例えば、特許文献２参照）。
【特許文献１】特開平８−１０６７３１号公報
【特許文献２】特開２０００−１４９２５６号公報
【発明の開示】
【発明が解決しようとする課題】
【００１０】
しかしながら、第１の従来技術を用いる場合には、以下に示す問題を生じていた。すなわち、シリアルナンバ登録手段は、エラー指令を受けたときには、メモリ手段に登録されているシリアルナンバの登録回数を読み出して、その登録回数をインクリメントした後、再度、メモリ手段に書き込む。すなわち、メモリ手段は、シリアルナンバの数だけ、シリアルナンバと、シリアルナンバに対応する登録回数とを記憶する必要がある。このため、メモリ手段を構成するには、大量のデータを記憶可能なメモリエリアを確保する必要がある。従って、記憶容量の大きい、不揮発性のメモリ素子が不可欠となるが、このような素子は高価である。また、装置が古くなったり、故障が多い、等の理由によって、装置を買い換えるようなときでは、登録回数が不明となるため、ディスクの劣化の程度や装置の不具合に関して、正確な判定を行うことができなくなる。
【００１１】
第２の従来技術は、記録回数が上限値を超えると、エラーの発生が多くなるという、光ディスクの一般的特性に対応する技術となっているに過ぎない。すなわち、個々の光ディスクの特性に対応したメッセージを表示することができない。このため、製造上のばらつき等によって、エラーが発生しやすい光ディスクとなっていることから、早期の交換が必要となる光ディスクの場合であっても、交換を促すメッセージは表示されない。従って、このときでは、書き込みエラーが多発して、重要なデータの記録に支障が発生する可能性が高まる。
【００１２】
本発明は、上記の問題点を解決するため創案されたものであり、その目的は、個々のＤＶＤについてのエラー発生の回数を知らせる構成とするときにも、エラー発生の回数を記録するためのメモリ素子を不要とすることができるとともに装置が交換されるときにもエラー発生の回数の信頼性の高さを維持することのでき、且つ、ＤＶＤの記録内容の表示時に、書き込み不良が発生し易くなっているかどうかについて、ユーザに注目を促すことのでき、且つ、ＤＶＤへのデータの記録となるときに、書き込み不良が発生し易くなっているかどうかについて、ユーザに注目を促すことのでき、且つ、エラー発生の解消の方法をユーザに知らせることのでき、且つ、専用のコマンドを設けることなく、エラー発生の回数を示すカウンタやフォーマットの回数を示すカウンタのＤＶＤへの記録やＤＶＤからの読み出しを可能とすることのできる光ディスク装置を提供することにある。
【００１３】
また、本発明の目的は、エラー発生の回数を光ディスクの所定領域に記録することによって、個々の光ディスクについてのエラー発生の回数を知らせる構成とするときにも、エラー発生の回数を記録するためのメモリ素子を不要とすることができるとともに装置が交換されるときにもエラー発生の回数の信頼性の高さを維持することのできる光ディスク装置を提供することにある。
【００１４】
また、上記目的に加え、タイトルや記録日時等の、記録内容を示す情報を表示装置に表示するときには、併せて、エラー発生の回数も表示することにより、光ディスクの記録内容の表示時に、書き込み不良が発生し易くなっているかどうかについて、ユーザに注目を促すことのできる光ディスク装置を提供することにある。
【００１５】
また、上記目的に加え、データの記録となるときには、エラー発生の回数を表示することにより、光ディスクへのデータの記録となるときに、書き込み不良が発生し易くなっているかどうかについて、ユーザに注目を促すことのできる光ディスク装置を提供することにある。
【００１６】
また、上記目的に加え、光ディスクへのデータの記録となるときには、装置本体の前面パネルに設けられた表示器にエラー発生の回数を表示することにより、書き込み不良が発生し易くなっているかどうかについて、ユーザに注目を好適に促すことのできる光ディスク装置を提供することにある。
【００１７】
また、上記目的に加え、エラー発生の回数とフォーマット回数との関係に基づいて、光ディスクへのデータの記録におけるエラー発生の解消に関連した情報を表示することにより、エラー発生の解消の方法をユーザに知らせることのできる光ディスク装置を提供することにある。
【課題を解決するための手段】
【００１８】
上記の課題を解決するため、本発明に係るＤＶＤレコーダは、書込コマンドが与えられたときにはＤＶＤにデータの記録を行い、再生コマンドが与えられたときにはＤＶＤに記録されたデータの再生を行い、書込コマンドに従ったデータの記録においてエラーが生じたときにはエラー情報を出力するディスクドライブ部と、ディスクドライブ部がエラー情報を出力した回数を記憶するエラー回数記憶手段と、  ディスクドライブ部を制御することによってＤＶＤのフォーマットを行うフォーマット手段とを備えたＤＶＤレコーダに適用している。そして、フォーマット手段がＤＶＤのフォーマットを行う毎に、ＲＭＡに記録されるＲＭＤの領域であって、ＤＶＤの規格において未定義となっている領域に設けられたフォーマットカウンタの値を更新するフォーマット回数更新手段と、タイトルや記録日時等の、ＤＶＤに記録されたデータの記録内容を示す情報を表示装置に表示するときとＤＶＤへのデータの記録となるときとには、装置本体の前面パネルに設けられた表示器にエラーカウンタの値を表示するとともに前記表示装置にエラーカウンタの値とフォーマットカウンタの値を表示し且つエラーカウンタの値とフォーマットカウンタの値との関係に基づく情報であってＤＶＤへのデータの記録におけるエラー発生の解消に関連する情報を前記表示装置に表示する情報表示手段とを備え、エラー回数記憶手段は、ＲＭＡに記録されるＲＭＤの領域であって、ＤＶＤの規格において未定義となっている領域に設けられたエラーカウンタによって形成されている。
【００１９】
すなわち、ＤＶＤのＲＭＡに記録されるＲＭＤに設けられたエラーカウンタの値によってエラーの発生回数を知ることができる。また、ＤＶＤの記録内容を示す情報を表示させたときには、同時に、エラーカウンタの値が表示される。また、ＤＶＤにデータを記録するときでは、装置本体の前面パネルに設けられた表示器と映像を表示する表示装置との双方にエラーカウンタの値が表示される。また、番組の記録時において発生する記録エラーの解消に関連する情報が表示装置に表示される。
【００２０】
また、本発明に係る光ディスク装置は、書込コマンドが与えられたときには光ディスクにデータの記録を行い、再生コマンドが与えられたときには光ディスクに記録されたデータの再生を行い、書込コマンドに従ったデータの記録においてエラーが生じたときにはエラー情報を出力するディスクドライブ部と、ディスクドライブ部がエラー情報を出力した回数を記憶するエラー回数記憶手段とを備えた光ディスク装置に適用している。そして、エラー回数記憶手段は光ディスクの所定エリアに設けられたエラーカウンタによって形成されている。
【００２１】
すなわち、エラーカウンタは光ディスクの所定領域に設けられている。従って、エラー回数を記録するためのメモリ素子が不要となる。また、装置を取り換えたときにも、光ディスクに記録されたエラーカウンタの値は同じ値に維持される。
【００２２】
また、上記構成に加え、タイトルや記録日時等の、光ディスクに記録されたデータの記録内容を示す情報を表示装置に表示するときには、前記表示装置にエラーカウンタの値を表示する情報表示手段を備えている。すなわち、光ディスクの記録内容を示す情報を表示装置に表示させたときには、同時に、エラーカウンタの値が表示される。
【００２３】
また、上記構成に加え、光ディスクへのデータの記録となるときには表示装置にエラーカウンタの値を表示する情報表示手段を備えている。すなわち、光ディスクにデータ（映像音声情報）を記録するときでは、表示装置にエラーカウンタの値が表示される。
【００２４】
また、上記構成に加え、情報表示手段は、光ディスクへのデータの記録となるときには装置本体の前面パネルに設けられた表示器にエラーカウンタの値を表示する。すなわち、光ディスクにデータ（映像音声情報）を記録するときには、装置本体の前面パネルに設けられた表示器において、エラーカウンタの値が示される。
【００２５】
また、上記構成に加え、ディスクドライブ部を制御することによって光ディスクのフォーマットを行うフォーマット手段と、フォーマット手段が光ディスクのフォーマットを行う毎に、光ディスクの所定領域に設けられたフォーマットカウンタの値を更新するフォーマット回数更新手段と、エラーカウンタの値とフォーマットカウンタの値とに基づく情報であって、光ディスクへのデータの記録におけるエラー発生の解消に関連した情報を表示する情報表示手段を備えている。すなわち、光ディスクへのデータの記録におけるエラーの発生を解消するための情報が表示される。
【発明の効果】
【００２６】
本発明によれば、ＤＶＤのＲＭＡに記録されるＲＭＤに設けられたエラーカウンタの値によってエラーの発生回数を知ることができる。また、ＤＶＤの記録内容を示す情報を表示させたときには、同時に、エラーカウンタの値が表示される。また、ＤＶＤにデータを記録するときでは、装置本体の前面パネルに設けられた表示器と映像を表示する表示装置との双方にエラーカウンタの値が表示される。また、番組の記録時において発生する記録エラーの解消に関連する情報が表示装置に表示される。このため、個々のＤＶＤについてのエラー発生の回数を知らせる構成とするときにも、エラー発生の回数を記録するためのメモリ素子を不要とすることができるとともに装置が交換されるときにもエラー発生の回数の信頼性の高さを維持することができ、且つ、ＤＶＤの記録内容の表示時に、書き込み不良が発生し易くなっているかどうかについて、ユーザに注目を促すことができ、且つ、ＤＶＤへのデータの記録となるときに、書き込み不良が発生し易くなっているかどうかについて、ユーザに注目を促すことができ、且つ、エラー発生の解消の方法をユーザに知らせることのでき、且つ、専用のコマンドを設けることなく、エラー発生の回数を示すカウンタやフォーマットの回数を示すカウンタのＤＶＤへの記録やＤＶＤからの読み出しを可能とすることができる。
【００２７】
また、本発明によれば、エラーカウンタは光ディスクの所定領域に設けられている。従って、エラー回数を記録するためのメモリ素子が不要となる。また、装置を取り換えたときにも、光ディスクに記録されたエラーカウンタの値は同じ値に維持される。このため、個々の光ディスクについてのエラー発生の回数を知らせる構成とするときにも、エラー発生の回数を記録するためのメモリ素子を不要とすることができるとともに装置が交換されるときにもエラー発生の回数の信頼性の高さを維持することができる。
【００２８】
また、さらに、光ディスクの記録内容を示す情報を表示装置に表示させたときには、同時に、エラーカウンタの値が表示されるので、光ディスクの記録内容の表示時に、書き込み不良が発生し易くなっているかどうかについて、ユーザに注目を促すことができる。
【００２９】
また、さらに、光ディスクにデータを記録するときでは、表示装置にエラーカウンタの値が表示されるので、光ディスクへのデータの記録となるときに、書き込み不良が発生し易くなっているかどうかについて、ユーザに注目を促すことができる。
【００３０】
また、さらに、光ディスクにデータを記録するときには、装置本体の前面パネルに設けられた表示器において、エラーカウンタの値が示されるので、書き込み不良が発生し易くなっているかどうかについて、ユーザに注目を好適に促すことができる。
【００３１】
また、さらに、光ディスクへのデータの記録におけるエラーの発生を解消するための情報が表示されるので、エラー発生の解消の方法をユーザに知らせることができる。且つ、装置が変わるときにも、エラー発生の原因を解消するための情報を、信頼性の高いものに維持できるという効果も併せて得られるようになっている。
【発明を実施するための最良の形態】
【００３２】
以下、本発明の実施の形態について図を参照して説明する。
【００３３】
図１は、本発明に係る光ディスク装置の一実施形態の電気的構成を示すブロック線図であり、具体的には、ＤＶＤレコーダを示している。図２は、装置本体の前面の様子を示す説明図である。
【００３４】
図において、チューナ部１は、マイクロコンピュータ（以下では、マイコンと称する）７から指示されたチャンネルの商用放送を受信するとともに、受信して得られたアナログ映像信号（アナログ音声信号を含む）をＡ／Ｄ変換部２に出力する。Ａ／Ｄ変換部２は、チューナ部１から出力されるアナログ映像信号をデジタル映像信号（デジタル音声信号を含む）に変換し、録再信号処理部３に出力する。Ｄ／Ａ変換部４は、録再信号処理部３より出力されるデジタル映像信号（デジタル音声信号を含む）をアナログ映像信号（アナログ音声信号を含む）に変換し、外部に設けられたテレビ受像機（請求項記載の表示装置）１９に出力する。
【００３５】
ディスクドライブ部５は、マイコン７から書込コマンドが与えられたときには、録再信号処理部３から出力される圧縮映像音声情報を、符号化等の処理をすることにより得られたデータをＤＶＤ（請求項記載の光ディスクであり、例えば、ＤＶＤ−ＲＷ等）１１に記録する。また、マイコン７から再生コマンドを与えられたときには、ＤＶＤ１１に記録されたデータを読み出し、復調とエラー訂正等の処理を行って得られた圧縮映像音声情報を録再信号処理部３に出力する。
【００３６】
また、ディスクドライブ部５は、書込コマンドに従ってＤＶＤ１１にデータの記録を行うとき、データの記録に必要となる情報をＤＶＤ１１から読み取ることができなかった、あるいは、データの記録に必要とする制御（トラッキング制御やフォーカス制御等）を行うことができなった、等の理由によって、ＤＶＤ１１へのデータの記録を正常に実行することができなかったときには、エラーフラグをマイコン７に送出する（マイコン７から読み取りが可能なレジスタに、エラーが生じたことを示すデータを書き込む）。
【００３７】
録再信号処理部３は、Ａ／Ｄ変換部２から出力されたデジタル映像信号をＭＰＥＧ２に従って圧縮処理する（デジタル音声信号についてはＡＣ３方式で圧縮する）。そして後、圧縮処理して得られた圧縮映像音声情報をディスクドライブ部５に出力する。また、ディスクドライブ部５より出力される圧縮映像音声情報をＭＰＥＧ２に従って伸長処理する（音声情報についてはＡＣ３方式で伸長する）。そして、伸長処理により得られたデジタル映像信号をＤ／Ａ変換部４に出力する。オンスクリーンディスプレイ部（以下では、ＯＳＤ部と称する）１３は、マイコン７から指示された文字や記号等を示す信号を生成し、録再信号処理部３からＤ／Ａ変換部４に出力されるデジタル映像信号に重畳する。
【００３８】
入力回路部８は、装置本体２１の前面パネル２２に設けられた電源キー２４等のキースイッチや、リモートコントローラ（以下では、リモコンと称する）９から送信される赤外線信号を受光する受光ユニット等を備えており、ユーザからの指示が入力されると、入力された指示をマイコン７に出力する。
【００３９】
表示器６は、装置本体２１の前面パネル２２の略中央位置に設けられ、ＤＶＤ１１の再生時では、再生位置を示す時間情報、等が表示される。また、ＤＶＤ１１にデータ（映像音声情報）を記録するときには、記録時間や記録モードが表示される。
【００４０】
マイコン７の機能の一部により構成された録再制御手段１４は、ディスクドライブ部５に書込コマンドを与えることでもって、ＤＶＤ１１にデータを記録させる。また、ディスクドライブ部５に再生コマンドを与えることでもって、ＤＶＤ１１に記録されたデータを再生させる。つまり、マイコン７は、ＤＶＤレコーダとしての主要動作を制御する。
【００４１】
すなわち、マイコン７は、リモコン９等に入力されたユーザの指示に従い、チューナ部１が受信するチャンネルを制御する。また、チューナ部１が受信した商用放送を、映像音声情報（データ）に変換してＤＶＤ１１に記録する。また、ＤＶＤ１１に記録された映像音声情報（データ）を再生してテレビ受像機１９に表示する。また、ＤＶＤ１１のリードイン領域に記録されたディスク情報を読み取り、内部に記憶する。
【００４２】
なお、録再制御手段１４は、データの書き換えとなるときには、フォーマットされたＤＶＤ１１に書き換え用のデータを記録するようになっている。また、マイコン７は、その機能の一部によって、エラー回数更新手段１５、フォーマット手段１６、フォーマット回数更新手段１７、および、情報表示手段１８を構成する。
【００４３】
エラー回数更新手段１５は、ディスクドライブ部５がエラーフラグを送出すると、ＤＶＤ１１の所定領域に設けられたエラーカウンタの値を更新する（後に詳述する）。フォーマット手段１６は、ディスクドライブ部５を制御することによって、ＤＶＤ１１のフォーマットを行う。フォーマット回数更新手段１７は、フォーマット手段１６がＤＶＤ１１のフォーマットを行う毎に、ＤＶＤ１１の所定領域に設けられたフォーマットカウンタの値を更新する（後に詳述する）。
【００４４】
情報表示手段１８は、ＤＶＤ１１の記録内容の表示を指示されたときには、図３に示したように、タイトルや記録日時や記録モード等の、ＤＶＤ１１に記録された映像音声情報（データ）の内容を示す情報をテレビ受像機１９に表示する。また、このときには、エラーカウンタの値（エラー回数）およびフォーマットカウンタの値（フォーマット回数）もテレビ受像機１９に表示する。
【００４５】
また、情報表示手段１８は、ＤＶＤ１１への映像音声情報（データ）の記録となるときには、図４に示したように、記録中の映像音声が表示されたテレビ受像機１９に、エラーカウンタの値とフォーマットカウンタの値とを表示する。なお、このとき、表示器６には、エラーカウンタの値（図２の２８により示す）のみを表示する。
【００４６】
また、情報表示手段１８は、テレビ受像機１９にエラーカウンタの値とフォーマットカウンタの値とを表示するときには、エラーカウンタの値とフォーマットカウンタの値との関係に基づき、ＤＶＤ１１へのデータの記録におけるエラー発生の解消に関連した情報（後に詳述する）も、テレビ受像機１９に併せて表示する。
【００４７】
図５は、光ディスクの内周側に設けられた領域に記録される情報の構成を示す説明図、図６は、ＲＭＤ（Ｒｅｃｏｒｄｉｎｇ  Ｍａｎａｇｅｍｅｎｔ  Ｄａｔａ）内の情報の構成を示す説明図である。必要に応じて同図を参照しつつ、フォーマットカウンタとエラーカウンタとが設けられた領域について説明する。
【００４８】
光ディスク（ＤＶＤ−ＲＷ等）１１の内周側には、図５（Ａ）に示したように、Ｒ−ｉｎｆｏｒｍａｔｉｏｎ  Ａｒｅａが設けられており、このＲ−ｉｎｆｏｒｍａｔｉｏｎ  Ａｒｅａは、同図（Ｂ）に示したように、ＰＣＡ（Ｐｏｗｅｒ  Ｃａｒｉｂｒａｔｉｏｎ  Ａｒｅａ）とＲＭＡ（Ｒｅｃｏｒｄｉｎｇ  Ｍａｎａｇｅｍｅｎｔ  Ａｒｅａ）とにより構成されている。  そして、ＲＭＡには、同図（Ｃ）に示したように、ＲＭＡ−Ｌｅａｄ−ｉｎと複数のＲＭＤとが記録されるようになっている。
【００４９】
なお、ＲＭＤには、Ｆｏｒｍａｔ１からＦｏｒｍａｔ３までの３種のＲＭＤがあり、ＤＶＤ−ＲＷの場合では、Ｆｏｒｍａｔ２  ＲＭＤと、Ｆｏｒｍａｔ３  ＲＭＤとの２種のＲＭＤが使用されるようになっている。そして、ＲＭＤのそれぞれには、同図（Ｄ）に示したように、Ｆｉｅｌｄ０〜Ｆｉｅｌｄ１４の１５のＦｉｅｌｄが設けられている。
【００５０】
図６は、Ｆｏｒｍａｔ２  ＲＭＤにおけるＦｉｅｌｄ１の詳細な構成を示しており、本発明に用いるエラーカウンタは８バイト目の１バイトを使用するようになっており、フォーマットカウンタは、９バイト目から１０バイト目までの２バイトを使用するようになっている。なお、８バイト目から１０バイト目までの３バイトは、規格上では未定義の領域となっている。このため、エラーカウンタおよびフォーマットカウンタとして８バイト目から１０バイト目までの３バイトを使用するときにも、定義されたその他の情報を破壊することは防止されるようになっている。
【００５１】
また、ＤＶＤ１１からのディスク情報の読み取りは、ＲＭＤを読み取ることによって行われる。従って、ディスク情報の読み取りを行うのみで、エラーカウンタの値とフォーマットカウンタの値とが読み取られることになる。また、ディスク情報（値を更新されたエラーカウンタとフォーマットカウンタとを含む）を示すＲＭＤをＤＶＤ１１に書き込むのみで、ＤＶＤ１１のエラーカウンタの値やフォーマットカウンタの値が更新される。このため、エラーカウンタやフォーマットカウンタの読み取り、および、エラーカウンタの値やフォーマットカウンタの値の更新のための専用のコマンドを用意する必要がなく、エラーカウンタやフォーマットカウンタを用いない制御において使用されるコマンドを用いるのみで、エラーカウンタやフォーマットカウンタの値の読み取り、および、値の更新を行うことができる。
【００５２】
図７、図８は、実施形態の主要動作を示すフローチャートである。必要に応じて同図を参照しつつ、実施形態の動作を説明する。
【００５３】
ＤＶＤ（例えば、ＤＶＤ−ＲＷ）１１をトレイ（図２の２３により示す）に載置した後、トレイ２３を収納位置に移動させると（ステップＳ１）、マイコン７は、ディスクドライブ部５と録再信号処理部３とを制御することによって、ＲＭＡに記憶されたディスク情報を読み取り、内部に記憶する。なお、このときに読み取られ、マイコン７に記憶されたディスク情報には、エラーカウンタの値とフォーマットカウンタの値（新品のＤＶＤ１１のエラーカウンタおよびフォーマットカウンタの各初期値は、ともに０である）とが含まれている（ステップＳ２）。そして後、リモコン９等に動作の指示が入力されるのを待つ（ステップＳ３）。
【００５４】
入力された指示がフォーマットである場合、フォーマット手段１６は、ディスクドライブ部５を制御することによって、ＤＶＤ１１のフォーマットを行う（ステップＳ４，Ｓ５）。そして、フォーマットが完了すると、フォーマット回数更新手段１７は、ＤＶＤ１１から読み出され、マイコン７に記憶されていたフォーマットカウンタの値を１つだけ増加させる（ステップＳ６）。また、マイコン７に記憶されていたエラーカウンタの値をクリアする（ステップＳ７）。そして後、フォーマットが行われたことを示すディスク情報をＤＶＤ１１に書き込む。このとき、ＤＶＤ１１に書き込まれるディスク情報には、値が１つ増加されたフォーマットカウンタと、値がクリアされて０となったエラーカウンタとが含まれている。このため、ＤＶＤ１１に記録されるフォーマットカウンタの値は、フォーマットを行う前と比するときには、値が１つ増加している（ステップＳ８）。
【００５５】
一方、ステップＳ３において入力された指示が、ＤＶＤ１１に記録された映像音声情報（データ）の内容表示の指示であるときには、動作は、ステップＳ４からステップＳ１１，Ｓ１２と移行し、ＤＶＤ１１から、記録内容を示す情報（番組のタイトル、記録の日時、記録モード、等を示す情報）が読み取られる。情報表示手段１８は、これらの情報に基づき、ＯＳＤ部１３を制御することによって、図３に示したように、ＤＶＤ１１に記録された映像音声情報のタイトルをテレビ受像機１９に表示する。また、タイトルのそれぞれ毎に、記録の日時と記録モードとを表示する。また、ＤＶＤ１１から読み取って記憶していたエラーカウンタの値、および、フォーマットカウンタの値を表示する（ステップＳ１３）。
【００５６】
なお、このときには、エラーカウンタの値とフォーマットカウンタの値との関係に基づく情報であって、番組の記録時において発生する記録エラーの解消に関連する情報も併せて表示される（ステップＳ１４）。
【００５７】
図９は、エラーカウンタの値とフォーマットカウンタの値との関係に対応するメッセージの一覧を示している。すなわち、書き込みエラー（記録におけるエラー）は、エラーカウンタの値とフォーマットカウンタの値との関係によって原因が異なるので、各値の関係から最も可能性が高い原因を想定し、その原因を解消する方法を、メッセージとして示したものとなっている。
【００５８】
すなわち、フォーマットカウンタの値が１００以下であるときには、ＤＶＤのフォーマット回数の上限（１０００回）までには充分な余裕があるので、ＤＶＤそのものの劣化が原因とはなりにくい。従って、記録時のエラーの発生は装置の側に原因があるとみなしたメッセージ（情報）となっている。このため、記録時のエラーの発生回数が１０回以下では、大きな支障がないとして、メッセージを表示しない。一方、記録時のエラーの発生回数が１１回〜５０回となるときでは、装置の側に、比較的軽微な不具合が想定されるとして、ピックアップのレンズのクリーニングを促すメッセージを表示する。そして、記録時のエラーの発生回数が５１回を超えるときでは、装置の側に重大な不具合が発生している可能性が高いとして、装置の点検を促すメッセージを表示する。
【００５９】
一方、フォーマットカウンタの値が１０１〜１０００であるときには、ＤＶＤそのものの劣化の可能性が高くなっている。このため、記録時のエラーの発生回数が１０回以下では、ＤＶＤに劣化の可能性があるにしても、その劣化は大きな支障を招くレベルではないとして、メッセージを表示しない。しかし、記録時のエラーの発生回数が１１回を超えるときでは、ＤＶＤの劣化は大きな支障を招く可能性が高いとして、ＤＶＤの交換、すなわち、現在使用しているＤＶＤの廃棄を促すメッセージを表示する。また、フォーマットカウンタの値が１００１を超えるときでは、ＤＶＤは劣化しているとして、記録時のエラーの発生回数にかかわりなく、ＤＶＤの交換を促すメッセージを表示する。
【００６０】
すなわち、フォーマット回数が１０１回を超えるときでは、記録時のエラーの発生回数によって、ＤＶＤ１１の劣化の程度、つまり、ＤＶＤ１１の寿命（交換時期）を、ユーザに知らせ、判断して貰うようになっている。
【００６１】
動作説明に戻る。ステップＳ３において入力された指示が、チューナ部１が受信する商用放送の録画の指示であるときには、動作は、ステップＳ４からステップＳ１１，Ｓ２１，Ｓ２２と移行する。このため、録再制御手段１４は、ディスクドライブ部５に書込コマンドを与えることによって、チューナ部１が受信した商用放送を示す映像音声情報を、ディスクドライブ部５を介して、ＤＶＤ１１に記録する動作を開始する。また、記録している映像音声をテレビ受像機１９に表示する。そして後、記録動作にエラーが発生していないかどうかを調べる（ステップＳ２３）。
【００６２】
エラーが発生していないときには、情報表示手段１８は、前面パネル２２に設けられた表示器６に、エラーカウンタの値（図２の２８により示す）を表示する（ステップＳ２４）。また、情報表示手段１８は、現在のモードが、記録中にテレビ受像機１９にエラーカウンタの値やフォーマットカウンタの値を表示する表示モードなのか、あるいは、記録中であっても、テレビ受像機１９にはエラーカウンタの値やフォーマットカウンタの値を表示しない非表示モードなのかを調べる。そして、表示モードであるときには、図４に示したように、記録中の映像が表示されたテレビ受像機１９に、エラーカウンタの値とフォーマットカウンタの値とを表示する（ステップＳ２５，Ｓ２６）。また、番組の記録時において発生する記録エラーの解消に関連する情報も併せて表示する（ステップＳ２７）。そして後、番組のＤＶＤ１１への記録の終了かどうかを調べ（ステップＳ２８）、終了でないときには、動作をステップＳ２２に移行する。
【００６３】
なお、ステップＳ２５の判定において、非表示モードであることが判明したときには、テレビ受像機１９へのエラーカウンタの値とフォーマットカウンタの値との表示を取り止めて、ステップＳ２８に移行する。
【００６４】
一方、ステップＳ２２において、ＤＶＤ１１に録画を開始しようとしたとき、ＤＶＤ１１にデータを記録するために必要となる情報をＤＶＤ１１から読み出すことができなかった、あるいは、ＤＶＤ１１への録画を開始することはできたが、録画を開始して後、数分が経過したときに、サーボ制御にエラーが生じた、等の理由によって、データの記録にエラーが発生すると、ディスクドライブ部５は、記録動作を終了し、エラーフラグをマイコン７に出力する。従って、このときでは、動作は、ステップＳ２３からステップＳ３１に移行する。
【００６５】
ディスクドライブ部５からエラーフラグが出力されると、エラー回数更新手段１５は、マイコン７の内部に記憶されたエラーカウンタの値を１つ増加させる。そして後、エラーカウンタとフォーマットカウンタとを含むディスク情報を、ＤＶＤ１１の所定領域に書き込む。すなわち、ＤＶＤ１１におけるエラーカウンタの値を１つ増加させる（ステップＳ３２）。
【００６６】
なお、ステップＳ３において入力された指示が、その他の動作の指示となるときには、入力された指示に対応する動作が実行される（ステップＳ２１，Ｓ３５）。
【００６７】
なお、本発明は上記実施形態に限定されず、番組の記録時において発生する記録エラーの解消に関連する情報の内容と、エラーカウンタの値の範囲やフォーマットカウンタの値の範囲との関係については、その他の対応関係とすることができる。
【００６８】
また、エラーカウンタやフォーマットカウンタを設ける領域については、ＲＭＤの未定義のその他の領域とすることができる。
【００６９】
また、ハードディスクドライブ一体型ＤＶＤレコーダ、あるいは、ビデオカセットレコーダ一体型ＤＶＤレコーダの場合にも、同様に適用することができる。
【００７０】
また、光ディスク１１については、データの書き換えが可能なその他の光ディスク（例えば、ＤＶＤ−ＲＡＭ等）の場合にも、同様に適用することができる。
【図面の簡単な説明】
【００７１】
【図１】本発明に係る光ディスク装置の一実施形態の電気的構成を示すブロック線図である。
【図２】装置本体の前面パネルの様子を示す説明図である。
【図３】光ディスクの記録内容を示す情報とエラーカウンタの値とが表示されたテレビ受像機の画面を示す説明図である。
【図４】光ディスクに記録される映像とエラーカウンタの値とが表示されたテレビ受像機の画面を示す説明図である。
【図５】ＤＶＤの内周側に設けられた領域に記録される情報の構成を示す説明図である。
【図６】ＲＭＤのＦｉｅｌｄ１に記録される情報を示す説明図である。
【図７】実施形態の主要動作を示すフローチャートである。
【図８】実施形態の主要動作を示すフローチャートである。
【図９】エラーカウンタの値とフォーマットカウンタの値との関係に基づいて表示されるメッセージの一覧を示す説明図である。
【図１０】従来技術における連続新規登録回数の変化を示す説明図である。
【符号の説明】
【００７２】
５  ディスクドライブ部
６  表示器
１１  ＤＶＤ（光ディスク）
１４  録再制御手段
１５  エラー回数更新手段
１６  フォーマット手段
１７  フォーマット回数更新手段
１９  テレビ受像機（表示装置）
２１  装置本体
２２  前面パネル
２８  エラーカウンタの値
Ｓ６，Ｓ８  フォーマットカウンタの値を更新するステップ
Ｓ１３  表示装置にエラーカウンタの値を表示するステップ
Ｓ１４  エラー発生の解消に関する情報を表示するステップ
Ｓ２４  表示器にフォーマットカウンタの値を表示するステップ
Ｓ２６  表示装置にエラーカウンタの値を表示するステップ
Ｓ２７  エラー発生の解消に関する情報を表示するステップ
Ｓ３１，Ｓ３２  エラーカウンタの値を更新するステップ
【図１】
2006179072.tif 000003
【図２】
2006179072.tif 000004
【図３】
2006179072.tif 000005
【図４】
2006179072.tif 000006
【図５】
2006179072.tif 000007
【図６】
2006179072.tif 000008
【図７】
2006179072.tif 000009
【図８】
2006179072.tif 000010
【図９】
2006179072.tif 000011
【図１０】
2006179072.tif 000012